(57)【特許請求の範囲】
【請求項１】
おもて面が外部に露出するアウター部および前記アウター部により覆われるインナー部を有するマスク本体と、前記マスク本体を装着者の顔に装着する装着部と、前記アウター部および前記インナー部を脱着可能に連結する連結部とを備え、
前記連結部は、前記アウター部と前記インナー部とのそれぞれに、雄部材と前記雄部材が挿入されて連結する雌部材とのいずれか一方の連結部材が接続され、前記装着部に、他方の連結部材が接続された、バックルにより形成されたマスク。
【請求項２】
前記装着部は、前記マスク本体を装着者の顔に装着するためのバンド部と、前記バンド部の基部が接続された基材部とを備え、
前記連結部は、前記アウター部の側部を前記基材部のおもて面に脱着可能に連結する第１連結部と、前記インナー部の側部を前記基材部の裏面に脱着可能に連結する第２連結部とを備えた請求項１記載のマスク。
【請求項３】
前記雄部材が前記アウター部および前記インナー部のそれぞれに接続され、前記雌部材が前記装着部に接続され、
前記雌部材は、前記雄部材が挿入され連結するための嵌合用開口部が厚み方向に並べて一対形成された請求項１記載のマスク。
【発明の詳細な説明】
【技術分野】
【０００１】
本発明は、顔に装着することで、少なくとも口および鼻を覆うマスクに関するものである。
【背景技術】
【０００２】
口や鼻を覆うマスク本体と、マスク本体を顔に装着する装着部とを備えたマスクは、飛沫の飛散や飛沫の吸引を防ぐために装着されるが、マスクを装着してショッピングしたり散歩したりする状況が多くなり、ファッション性も重要視される。例えば、機能性やファッション性などの観点から部分的に交換可能なものが特許文献１−４にて知られている。
【０００３】
特許文献１に記載の内側ガーゼストッパー付き香りのするマスクは、マスク本体（内側部分）と内側ガーゼとのそれぞれにマジックテープ（登録商標）を取り付けることでずれを防止すると共に、内側ガーゼを交換することで、マスク内を常に清潔に保ちつつ、簡単にリフレッシュでき、好みの香りのする内側ガーゼを用いれば、いつでもリラクゼーション等を楽しめることができるようにした、というものである。
【０００４】
また、特許文献２に記載のマスク及び耳掛け紐は、耳掛け紐がマスク本体の左右側部に着脱自在な取付具を有しており、耳掛け紐をマスク本体から取り外し可能とすることで、使用目的や場所に応じて、マスク本体を異なる種類の生地や厚みのものにしたり、あるいは、自分の好みの柄や色のものにしたりすることを可能とするものである。
【０００５】
特許文献３に記載のマスク兼用ティッシュペーパー及びティッシュペーパー型マスクは、マスク本体が、平行な折り目から形成される立体的なプリーツ部を有する矩形状のティッシュペーパーから構成され、折り目に直交する両辺の端部が該折り目を含んでそれぞれヒートシールされ、端部側に耳掛け用の掛け紐を着脱自在に取り付けた、というものである。
【０００６】
特許文献４に記載のマスクは、両端の上下四隅の所定箇所にボタンホールを開けたマスク本体と、両端にボタンを縫付けた伸縮性を有する２本の耳掛紐とを備え、１本の耳掛紐のボタンをマスク本体の四隅の所定箇所のうち左右いずれか一方の側のボタンホールに装着し、別の１本の耳掛紐のボタンをマスク本体の他方の側のボタンホールに装着して着脱可能な構成とする、というものである。
【先行技術文献】
【特許文献】
【０００７】
【特許文献１】特開２００４−１４８０６４号公報
【特許文献２】特開２００５−１４３８６０号公報
【特許文献３】特開２０１１−６２２６９号公報
【特許文献４】実用新案登録第３１２５１４７号公報
【発明の概要】
【発明が解決しようとする課題】
【０００８】
特許文献１に記載の従来のマスクでは、内側ガーゼが交換できるものの、耳掛け紐がマスク本体に接続されているため、耳掛け紐を交換しようとするときには、マスク本体ごと交換しなければならない。
【０００９】
特許文献２に記載の従来のマスクでは、ハンカチを折り畳んでマスク本体としているが、自分の好みの柄や色のものにしたりすることが可能であるが、立体型としたり、プリーツ型としたりすることができず、また、ハンカチを折り畳んだマスクでは、不織布製のマスクが好みの装着者や、ガーゼが好みの装着者にとっては、機能性に劣る場合がある。
【００１０】
特許文献３に記載の従来のマスクでは、ティッシュペーパーを折ってマスク本体としているため、機能的には有効であるものの、ファッション性に欠ける。
【００１１】
特許文献４に記載の従来のマスクでは、マスク本体がガーゼ等織布の柔軟な素材を用いて鼻と口を覆う長方形に折り畳んで縫製されており、長方形のガーゼ等織布を三つ折り構成とし、左右両側部を内側に折り畳み、開閉自在としている。そのため、三つ折りが重なった部分は層厚に形成され、機能性は高いが、ガーゼ等織布では、ファッション性に劣り、ファッション性を向上させようとしても、内側と外側とは一体的であるため別々な素材のものとすることができない。
【００１２】
このように、従来のマスクでは、機能性を向上させようとするとファッション性が劣り、ファッション性を向上させようとすると機能性が劣ってしまう。
【００１３】
そこで本発明は、機能性を維持しつつ、ファッション性も向上させることができるマスクを提供することを目的とする。
【課題を解決するための手段】
【００１４】
本発明のマスクは、おもて面が外部に露出するアウター部および前記アウター部により覆われるインナー部を有するマスク本体と、前記マスク本体を装着者の顔に装着する装着部と、前記マスク本体および前記装着部をそれぞれに脱着可能に連結する連結部とを備えたことを特徴とするものである。
【００１５】
本発明のマスクによれば、アウター部とインナー部と装着部とを脱着可能な連結部により連結する。そうすることで、各パーツが交換可能なので、様々なアウター部やインナー部、装着部を組み合わせることで、本発明のマスクを構成することができる。
従って、ファッション性の面からアウター部や装着部を選択することができ、機能性の面からインナー部を選択することができる。
【００１６】
前記装着部は、前記マスク本体を装着者の顔に装着するためのバンド部と、前記バンド部の基部が接続された基材部とを備え、前記連結部は、前記アウター部の側部を前記基材部のおもて面に脱着可能に連結する第１連結部と、前記インナー部の側部を前記基材部の裏面に脱着可能に連結する第２連結部とを備えたものとすることができる。
【００１７】
基材部のおもて面には、アウター部を脱着可能に連結する第１連結部と、基材部の裏面には、インナー部を脱着可能に連結する第２連結部が設けられている。そのため、アウター部を第１連結部により、またインナー部を第２連結部により基材により連結することができる。
【００１８】
前記基材部は、前記マスク本体の側部に沿って上下方向に延びる帯状に形成され、前記第１連結部および前記第２連結部は、前記基材部の上下方向に沿って配置されたものとすることができる。
第１連結部および前記第２連結部が、上下方向に沿って延びる帯状に形成された基材部に、上下方向に沿って配置されているため、しっかりと、アウター部の側部とインナー部の側部とを連結して支持することができる。
【００１９】
前記基材部は、前記アウター部および前記インナー部の側部の長さに形成され、前記バンド部は、前記基材部の上下方向における両方の端部に接続されたものとすることができる。
バンド部が、基材部の上下方向における両方の端部に接続されているため、バンド部により装着者の顔に装着すると、基材部の上下方向における両方の端部がバンド部により引っ張られる。しかし、基材部の長さが、アウター部およびインナー部の側部の長さに形成されているため、アウター部およびインナー部の側部全体が均等に、バンド部により引っ張られる。そのため、側部が撓んで浮き上がることが防止できる。
【００２０】
前記バンド部は、一方の前記基材部の上側の端部から他方の前記基材部の上側の端部まで延びるバンド本体と、前記基材部の下側の端部から前記バンド本体へ延びて接続して支持する支持バンドとを備えたものとすることができる。
一方の連結部の上側の端部から他方の連結部の上側の端部まで延びるバンド本体を、後頭部に回してマスク本体を装着すると、基材部の上側の端部がバンド本体により引っ張られるだけでなく、基材部の下側の端部からバンド本体へ延びて接続する支持バンドが、基材部の下側の端部も引っ張るため、バンド部により均等に基材部を引っ張らせることができる。従って、しっかりと、マスク本体を顔に密接させることができる。
【００２１】
前記第１連結部または前記第２連結部のいずれか一方または両方がスナップボタンにより形成されていると、第１連結部または第２連結部を安価に形成することができ、連結も容易である。
【００２２】
前記連結部は、前記アウター部と前記インナー部とのそれぞれに、雄部材と前記雄部材が挿入されて連結する雌部材とのいずれか一方の連結部材が接続され、前記装着部に、他方の連結部材が接続された、バックルにより形成されたものとすることができる。
連結部がバックルにより形成され、アウター部とインナー部とのそれぞれに、雄部材か雌部材のどちらかが接続され、装着部に連結相手となる連結部材が接続されていれば、雌部材に雄部材を挿入するだけで連結が完了するため、マスク本体と装着部とを簡単に連結することができ、耐久性も確保することができる。
【００２３】
前記雄部材が前記アウター部および前記インナー部のそれぞれに接続され、前記雌部材が前記装着部に接続され、前記雌部材は、前記雄部材が挿入され連結するための嵌合用開口部が厚み方向に並べて一対形成されたものとすることができる。
雌部材に嵌合用開口部が厚み方向に並べて一対形成されていると、アウター部にインナー部を重ねたマスク本体に接続された一対の雄部材に、装着部に接続された雌部材を連結することできる。
【００２４】
前記アウター部には、裏面に、温度調整材が挿入されるポケットが形成されたものとすることができる。温度調整材として、保温材や保冷材を挿入すれば、装着者の顔を温めたり、冷やしたりすることができ、夏や冬でも快適に装着することができる。
【００２５】
前記アウター部における裏面の上縁部と、下縁部とに、前記インナー部の上縁部と下縁部とを挿入するためのポケットが形成されたものとすることができる。このように構成することで、アウター部とインナー部とをより一体的に連結することができ、フィット感を向上させることができる。
【発明の効果】
【００２６】
本発明のマスクは、各パーツが交換可能なので、様々なアウター部やインナー部、装着部を組み合わせることで、本発明のマスクを構成することができる。従って、ファッション性の面からアウター部や装着部を選択することができ、装着者が必要とする機能性の面からインナー部を選択することができるので、機能性を維持しつつ、ファッション性も向上させることができる。
【図面の簡単な説明】
【００２７】
【図１】本発明の実施の形態１に係るマスクを示す図であり、（Ａ）はマスクの正面図、（Ｂ）はアウター部の正面図、（Ｃ）はインナー部の正面図、（Ｄ）は装着部の正面図である。
【図２】図１（Ｂ）に示すアウター部の他の例を説明するための正面図であり、（Ａ）はおもて面に絵が描かれたアウター部を示す図、（Ｂ）は柄や模様が描かれたアウター部を示す図、（Ｃ）は非通気性素材に頬部にフィルタ部が形成されたアウター部を示す図、（Ｄ）は裏側面の頬部に、収納可能なポケットが形成されたアウター部を示す図である。
【図３】図１（Ｄ）に示す装着部の他の例を説明するための正面図であり、（Ａ）はバンド部が絞り紐により形成された装着部を示す図、（Ｂ）はバンド部が飾り紐により形成された装着部を示す図、（Ｃ）はバンド部が発泡樹脂製の耳掛け帯により形成された装着部を示す図、（Ｄ）は、バンド部が頭部固定バンドにより形成された装着部を示す図である。
【図４】図１（Ｂ）に示すアウター部と、図１（Ｃ）に示すインナー部とにより、図１（Ｄ）に示す装着部の基材部を挟み込み、それぞれの連結具により連結する状態を説明するための図である。
【図５】本発明の実施の形態２に係るマスクのアウター部を示す図であり、（Ａ）はおもて面の図、（Ｂ）は裏面の図である。
【図６】本発明の実施の形態３に係るマスクを示す図である。
【図７】図６に示すマスクの連結部の図であり、（Ａ）は連結部の雄部材を示す図、（Ｂ）は連結部の雌部材を示す図、（Ｃ）は（Ｂ）の雌部材の嵌合用開口部側から見た図である。
【発明を実施するための形態】
【００２８】
（実施の形態１）
本発明の実施の形態１に係るマスクを図面に基づいて説明する。
図１（Ａ）に示すように、本発明の実施の形態１に係るマスク１０は、おもて面２１が外部に露出するアウター部２０およびアウター部２０により覆われるインナー部３０を有するマスク本体１１と、アウター部２０およびインナー部３０に連結され、前記マスク本体を装着者の顔に装着する装着部４０と、アウター部２０およびインナー部３０と装着部とを脱着可能に連結する連結部５０とを備えている。
【００２９】
図１（Ｂ）に示すアウター部２０は、厚手の布生地により形成されている。アウター部２０は、インナー部３０（図１（Ｃ）参照）の外側に位置することでインナー部３０を保護したり、裏面２２側にインナー部３０を重ね合わせ、層厚とすることで、遮蔽性を向上させたりすることができる。アウター部２０は、左右方向の中心線が円弧形状に形成された立体型である。
【００３０】
図１（Ｃ）に示すインナー部３０は、おもて面３１が装着者の顔側であり、裏面３２がアウター部２０側（図１（Ａ）参照）となる。インナー部３０は、顔に触れるため、ガーゼなどアウター部２０と比較して柔らかい素材のものが望ましい。
【００３１】
また、インナー部３０は、アウター部２０と同じ形状の型とすることがインナー部３０とアウター部２０とのフィット性の観点から望ましい。
【００３２】
図１（Ｄ）に示すに装着部４０は、マスク本体１１を装着者の顔に装着するためのバンド部４１と、バンド部４１の基部４１ａが接続された一対の基材部４２とを備えている。
【００３３】
バンド部４１は、基材部４２の上下方向における両方の端部４２ｔに接続されていることで、輪状に形成されている。バンド部４１は、耳に掛けるために伸縮するゴム紐により形成されている。
バンド部４１が１本の紐状であるときには、基部４１ａとなる両端部を基材部４２に接着により接続したり、基材部４２が不織布によるものであればその両端部を溶着したりすることができる。また、バンド部が環状に形成されたものであり、基材部が布製であるときには、基材部に上下方向に沿って形成された通し孔に挿通して、バンド部を基材部に取り付けることも可能である。
【００３４】
基材部４２は、マスク本体１１（図１（Ａ）参照）の側部１１ａに沿って上下方向に延びる帯状に形成され、図１（Ｂ）に示すアウター部２０の側部２３と、図１（Ｃ）に示すインナー部３０の側部３３とに対応する長さに形成されている。従って、基材部４２は、アウター部２０およびインナー部３０の上側角部２３ｕ，３３ｕから下側角部２３ｂ，３３ｂまでの長さに形成されている。
【００３５】
連結部５０は、アウター部２０の側部２３を基材部４２のおもて面４２ａに脱着可能に連結する第１連結部５１（図１（Ｂ）および同図（Ｄ）参照）と、インナー部３０の側部を基材部４２の裏面に脱着可能に連結する第２連結部５２とを備えている。
本実施の形態１では、第１連結部５１と第２連結部５２とは、スナップボタンにより形成されている。
【００３６】
例えば、第１連結部５１のうち、アウター部２０側（図１（Ｂ）参照）を凹型ボタンとした場合には、基材部４２側（図１（Ｄ）参照）を凸型ボタンとすることができる。
従って、アウター部２０側の第１連結部５１は、基材部４２に凹みが向いたスナップボタンである。また、基材部４２側の第１連結部５１は、アウター部２０側に突起部が向いたスナップボタンである。
【００３７】
また、第２連結部５２のうち、インナー部３０側（図１（Ｃ）参照）を凹型ボタンとした場合には、基材部４２側（図１（Ｄ）参照）を凸型ボタンとすることができる。
従って、インナー部３０側の第２連結部５２は、基材部４２に凹みが向いたスナップボタンである。また、基材部４２側の第２連結部５２は、インナー部３０側に突起部が向いたスナップボタンである。
【００３８】
そうすることで、アウター部２０の外側から見えるおもて面２１と、インナー部３０の顔に接触するおもて面３１に、スナップボタンの出っ張りが小さい裏面を向けることができる。
【００３９】
図１（Ｂ）から同図（Ｃ）に示すように、第１連結部５１は縦列に３個並んで配置されており、第２連結部５２は縦列に２個並んで配置されている。図１（Ｄ）に示すように、基材部４２には、第１連結部５１と第２連結部５２とが上下方向に沿って交互に配置されている。
【００４０】
ここで、アウター部２０，インナー部３０および装着部４０の他の例について説明する。
アウター部２０は、厚手の布生地により形成される以外に、色付き生地としたり、図２（Ａ）に示すアウター部２０Ａのように、おもて面２１に絵が描かれていたり、図２（Ｂ）に示すアウター部２０Ｂのように柄や模様が描かれていたり、キャラクタ、ロゴタイプなどが描かれたりすることで、ファッション性を向上させることができる。
また、図２（Ｃ）に示すアウター部２０Ｃのように、非通気性素材により形成され、頬部２４にフィルタ部２５が形成されたものとすることができる。
更に、図２（Ｄ）に示すアウター部２０Ｄのように、裏面２２の頬部２４に、ポケット２６が形成されている。上方に向かって開いたポケット２６に、温度調整材２７として、保温材や保冷材を挿入すれば、装着者の顔を温めたり、冷やしたりすることができ、夏や冬でも快適に装着することができる。また、アウター部２０Ｄだけでなくインナー部３０を介して顔に温度が伝わるため、過度に温めたり冷やしたりすることが防止できる。
【００４１】
また、アウター部２０は、立体型とする以外に、折り返しの襞が形成されたプリーツ型、単なる矩形状の布により形成された平型とすることができる。
【００４２】
インナー部３０は、図示しないが、ガーゼのような綿系素材の他に、シルク系素材やメッシュ素材、ウレタン系素材などとすることができる。
【００４３】
バンド部４１は、ゴム紐により形成される以外に、図３（Ａ）に示す絞り紐４１１、図３（Ｂ）に示す飾り紐４１２、図３（Ｃ）に示す軟質部材による耳掛け帯４１３、図３（Ｄ）に示す頭部固定バンド４１４により形成することができる。
【００４４】
図３（Ａ）に示す絞り紐４１１は、ループ状の紐を留め具４１１ａに通過させる長さによって、装着者の耳に掛ける紐の長さを調整するものである。
図３（Ｂ）に示す飾り紐４１２は、装着者の耳に掛ける紐の長さを２本の紐の結び目４１２ａの位置によって調整するものである。結び目４１２ａから垂れる紐がファッション性を向上させる。
図３（Ｃ）に示す耳掛け帯４１３は、ウレタンやポリプロピレンなどの柔軟な発泡樹脂製のシート材をＵ字状またはＶ字状に型抜きして帯状に形成されたものである。耳掛け帯４１３は、軟質であるため、耳への負担が軽減できる。
【００４５】
図３（Ｄ）に示す頭部固定バンド４１４は、長さ調整することで、頭部にて固定するものである。頭部固定バンド４１４は、一方の基材部４２の上側の端部４２ｔから他方の基材部４２の上側の端部４２ｔまで延びるバンド本体４１４ａと、基材部４２の下側の端部４２ｔからバンド本体４１４ａへ延びて接続することで三角形を形成して支持する支持バンド４１４ｂとにより形成されている。
【００４６】
バンド本体４１４ａを、後頭部に回してマスク本体１１（図１（Ａ）参照）を装着すると、基材部４２の上側の端部４２ｔがバンド本体４１４ａにより引っ張られるだけでなく、支持バンド４１４ｂが、基材部４２の下側の端部４２ｔも引っ張る。そのため、頭部固定バンド４１４により均等に基材部４２を引っ張らせることができる。従って、しっかりと、マスク本体１１を顔に密接させることができる。
また、バンド本体４１４ａと支持バンド４１４ｂとによりできる三角形を耳に入れれば、バンド本体４１４ａが耳の後ろ側に回り込んで押していないため耳への負担を軽減することができ、耳の下側を支持バンド４１４ｂが通るため、バンド本体４１４ａが上方にずれることを抑止することができる。
【００４７】
以上のように構成された本発明の実施の形態１に係るマスク１０の使用状態を図面に基づいて説明する。
まず、装着部４０について、バンド部４１を選択する。例えば、ゴム紐によるバンド部４１を有する装着部４０を選択したものとする。次に、アウター部２０とインナー部３０とを選択する。
【００４８】
アウター部２０とインナー部３０と装着部４０とが決定されると、図４に示すように、アウター部２０とインナー部３０とで、装着部４０の基材部４２をサンドイッチのように、前後から挟み込む。
そして、アウター部２０の側部２３に配置された第１連結部５１と、基材部４２に配置された第１連結部５１とを連結する。
また、インナー部３０の側部３３に配置された第２連結部５２と、基材部４２に配置された第２連結部５２とを連結する。
【００４９】
そうすることで、装着者の好みに合わせたアウター部２０や装着部４０を選択したり、肌触りでインナー部３０を選択したりすることができる。
このように、ファッション性の面からアウター部２０や装着部４０のバンド部４１を選択することができ、装着者が必要とする機能性の面からインナー部３０を選択することができる。よって、マスク１０は、機能性を維持しつつ、ファッション性も向上させることができる。
【００５０】
例えば、特許文献２に記載の従来のマスクでは、クリップによりハンカチを挟み込んでおり、また、特許文献３に記載の従来のマスクでは、挟持部と称したクリップによりティッシュペーパーを挟み込んでいるため、クリップが装着者の顔に当たることで、ハンカチやティッシュペーパーと顔との間に隙間ができるおそれがある。
【００５１】
しかし、マスク１０では、装着部４０の基材部４２の裏面４２ｂ側に、インナー部３０が連結されるため、インナー部３０は、基材部４２に邪魔されることがない。従って、インナー部３０と顔との間に隙間ができることなく顔を覆うことができる。
【００５２】
特許文献２−４に記載の従来のマスクでは、耳掛け紐に取り付けられたクリップまたはボタンにより、耳掛け紐をマスク本体と着脱可能としているので、装着した際に、耳掛け紐によりクリップ部分が引っ張られ、一対のクリップやボタンの間のマスク本体が撓んで装着者の顔から浮き上がり隙間ができる。従って、マスク本体を顔にぴったりとフィットさせることが難しい。
【００５３】
図１（Ｂ）から同図（Ｄ）に示すように、バンド部４１が、基材部４２の上下方向における両方の端部４２ｔに接続されているため、バンド部４１に装着者の耳に掛けると、基材部４２の上下方向における両方の端部４２ｔがバンド部４１により引っ張られる。
しかし、基材部４２の長さが、アウター部２０およびインナー部３０の上側角部２３ｕ，３３ｕから下側角部２３ｂ，３３ｂまでの長さに形成されているため、アウター部２０およびインナー部３０の左右方向の側部２３，３３全体が均等に、バンド部４１により引っ張られる。そのため、側部２３，３３が撓んで浮き上がることが防止できる。
【００５４】
本実施の形態では、連結部５０としてスナップボタンにより、基材部４２にアウター部２０およびインナー部３０を連結しているが、連結部を、例えば、基材部４２の上側の端部４２ｔから下側の端部４２ｔまでの長さの面ファスナーとすることができる。また、連結部の一方をフック部、他方をループ部とすることができる。
また、アウター部２０と装着部４０とが連結することができ、インナー部３０と装着部４０とが連結することができれば、各種のファスナー、各種のフック、ボタンなどが使用できる。
【００５５】
また、本実施の形態１では、第１連結部５１と第２連結部５２とが同じスナップボタンにより形成されていたが、それぞれ異なる連結部を組み合わせるようにしてもよい。
【００５６】
（実施の形態２）
本発明の実施の形態２に係るマスクを図面に基づいて説明する。図５（Ａ）は、本実施の形態２に係るマスクのアウター部２０Ｅのおもて面の図、（Ｂ）は（Ａ）の裏面の図である。なお、図５においては、図１と同じ構成のものは同符号を付して説明を省略する。
図５（Ｂ）に示す本実施の形態２に係るマスクのアウター部２０Ｅの裏面２２には、上縁部２８ａと下縁部２８ｂとに、ポケット２９，２９が形成されている。
【００５７】
この上縁部２８ａに形成されたポケット２９は下方に向いた開口２９ａが形成されている。また、下縁部２８ｂに形成されたポケット２９は、上方に向いた開口２９ａが形成されている。
図５（Ｂ）に示す上縁部２８ａのポケット２９には、図１（Ｃ）に示すインナー部３０の上縁部３４ａが挿入され、図５（Ｂ）に示す下縁部２８ｂのポケット２９には、図１（Ｃ）に示すインナー部３０の下縁部３４ｂが挿入される。
【００５８】
そうすることで、アウター部２０Ｅとインナー部３０とをより一体的に連結することができ、フィット感を向上させることができる。
【００５９】
（実施の形態３）
本発明の実施の形態３に係るマスクを図面に基づいて説明する。
なお、図６においては、図１と同じ構成のものは同符号を付して説明を省略する。
図６に示すマスク１００は、おもて面２１が外部に露出するアウター部２０およびアウター部２０により覆われるインナー部３０を有するマスク本体１１と、マスク本体１１を装着者の顔に装着する装着部４０と、マスク本体１１および装着部４０をそれぞれに連結する連結部６０とを備えている。
【００６０】
本実施の形態３に係る連結部６０は、樹脂製のバックルにより形成されている。
連結部６０は、アウター部２０とインナー部３０とのそれぞれに、雄部材と雌部材とのいずれか一方の連結部材を接続し、装着部４０に、連結相手となる他方の連結部材を接続することができるが、本実施の形態３では、アウター部２０とインナー部３０とに、一方の連結部材として雄部材６１が接続され、装着部４０に、他方の連結部材として雌部材６２が接続されている。
【００６１】
なお、図６では、おもて側に位置するアウター部２０に接続された雄部材６１が見えており、裏側に位置するインナー部３０に接続された雄部材６１は、アウター部２０に接続された雄部材６１に重なって図示されていない。
【００６２】
図７（Ａ）に示す雄部材６１には、本体部６１１と、ガイド用突起部６１２と、ロック用突起部６１３と、接続部６１４とが形成されている。
本体部６１１は、細長板状に形成されている。本体部６１１は、アウター部２０とインナー部３０との側部２３，３３の長さに対応させた長さに形成されている。
ガイド用突起部６１２は、雌部材６２へ向く方向へ突出した略台形状に形成されている。
ロック用突起部６１３は、ガイド用突起部６１２の両側の本体部６１１に設けられ、先端部にフック部６１３ａが形成されている。
接続部６１４は、隙間６１４ａが形成された略Ｕ字状の巻き付け部に、アウター部２０およびインナー部３０の端部が巻き付かれて接続するものである。
【００６３】
図７（Ｂ）に示す雌部材６２は、四角筒状の本体部６２１と、図７（Ａ）に示す雄部材６１のガイド用突起部６１２とロック用突起部６１３とが挿入される本体部６２１に形成された嵌合用開口部６２２と、幅方向Ｆ１の側部に形成されたロック用開口部６２３と、装着部４０が接続される接続部６２４とが形成されている。
図７（Ｃ）に示す雌部材６２の嵌合用開口部６２２（６２２ａ，６２２ｂ）は、アウター部２０用の雄部材６１と、インナー部３０用の雄部材６１とを挿入するために、厚み方向Ｆ２に並べて一対形成されている。
【００６４】
従って、図６に示すアウター部２０に接続された雄部材６１と、装着部４０に接続された雌部材６２のうち、おもて面側の嵌合用開口部６２２ａ側の雌部材６２とが、アウター部２０の側部を基材部４２のおもて面に脱着可能に連結する第１連結部として機能する。
また、インナー部３０に接続された雄部材６１と、装着部４０に接続された雌部材６２のうち、うら面側の嵌合用開口部６２２ｂ側の雌部材６２とが、インナー部３０の側部を基材部４２のおもて面に脱着可能に連結する第２連結部として機能する。
【００６５】
図６に示すように、アウター部２０の側部２３およびインナー部３０の側部３３が、雄部材６１の接続部６１４に巻き付けられて接続されている。
装着部４０は、マスク本体１１を装着者の顔に装着するためのバンド部４１と、バンド部４１の基部が接続された基材部４２とを備えている。
バンド部４１は、軟質部材による耳掛け帯により形成され、バンド部４１の両端部が基材部４２の上下方向における両方の端部４２ｔ，４２ｔに接続されている。
基材部４２の一部が、雌部材６２の接続部６２４に巻き付けられて接続されている。
【００６６】
このように、連結部６０がバックルにより形成されていることで、雌部材６２に雄部材６１を挿入するだけで連結が完了するため、マスク本体１１とバンド部４１とを簡単に連結することができ、耐久性も確保することができる。
また、雌部材６２に嵌合用開口部６２２（６２２ａ，６２２ｂ）が厚み方向に並べて一対形成されているため、アウター部２０にインナー部３０を重ねたマスク本体１１に接続された一対の雄部材６１と、バンド部４１に接続された雌部材６２とを連結することできる。
【００６７】
また、連結部６０が硬質な雄部材６１と雌部材６２とによるバックルにより形成され、アウター部２０の側部２３およびインナー部３０の側部３３に雄部材６１が接続されているため、アウター部２０とインナー部３０とに皺を寄らせることなく、顔に装着することができる。
【００６８】
以上、本実施の形態３に係るマスク１００を説明したが、バックルによる連結部６０により連結したマスク１００においても、図２に示すアウター部２０Ａ〜２０Ｄのように、模様を付けたり、フィルタ部２５を付けたり、ポケット２６を付けたりすることが可能である。
また、バンド部４１についても、図１（Ａ）に示すようにゴム紐により形成される以外に、図３（Ａ）に示す絞り紐４１１、図３（Ｂ）に示す飾り紐４１２、図３（Ｄ）に示す頭部固定バンド４１４により形成することができる。
更に、マスク本体１１は、図５に示すように、アウター部２０Ｅにおける裏面２２の上縁部２８ａと、下縁部２８ｂとに、インナー部３０の上縁部と下縁部とを挿入するためのポケット２９，２９を形成したものとすることができる。
【００６９】
本実施の形態３では、一方の連結部材を雄部材６１とし、他方の連結部材を雌部材６２としているが、一方の連結部材を雌部材してアウター部２０とインナー部３０とに接続され、他方の連結部材を雄部材として装着部４０に接続するようにしてもよい。
この場合、雄部材として、ガイド用突起部６１２とロック用突起部６１３とが厚み方向に重ねたものとすることが望ましい。
【産業上の利用可能性】
【００７０】
本発明は、顔に装着することで、少なくとも口および鼻を覆うマスクに好適である。また、本発明のマスクは、医療従事者、対面業務に従事する者、塵埃の吸い込みを防止することを目的とする人、感染症に罹った人、感染症予防を目的とする人、装飾具としてファションで装着する人などに好適である。
【符号の説明】
【００７１】
１０，１００  マスク
１１  マスク本体
１１ａ  側部
２０，２０Ａ，２０Ｂ，２０Ｃ，２０Ｄ，２０Ｅ  アウター部
２１  おもて面
２２  裏面
２３  側部
２３ｕ  上側角部
２３ｂ  下側角部
２４  頬部
２５  フィルタ部
２６  ポケット
２７  温度調整材
２８ａ  上縁部
２８ｂ  下縁部
２９  ポケット
２９ａ  開口
３０  インナー部
３１  おもて面
３２  裏面
３３  側部
３３ｕ  上側角部
３３ｂ  下側角部
３４ａ  上縁部
３４ｂ  下縁部
４０  装着部
４１  バンド部
４１ａ  基部
４１１  絞り紐
４１１ａ  留め具
４１２  飾り紐
４１２ａ  結び目
４１３  耳掛け帯
４１４  頭部固定バンド
４１４ａ  バンド本体
４１４ｂ  支持バンド
４２  基材部
４２ａ  おもて面
４２ｂ  裏面
４２ｔ  端部
５０  連結部
５１  第１連結部
５２  第２連結部
６０  連結部
６１  雄部材
６１１  本体部
６１２  ガイド用突起部
６１３  ロック用突起部
６１３ａ  フック部
６１４  接続部
６１４ａ  隙間
６２  雌部材
６２１  本体部
６２２，６２２ａ，６２２ｂ  嵌合用開口部
６２３  ロック用開口部
６２４  接続部
Ｆ１  幅方向
Ｆ２  厚み方向
【要約】
【課題】機能性を維持しつつ、ファッション性も向上させることができるマスクを提供する。
【解決手段】マスク１０は、おもて面が外部に露出するアウター部２０およびアウター部２０により覆われるインナー部３０を有するマスク本体１１と、マスク本体１１に連結され、マスク本体１１を装着者の顔に装着する装着部４０とを備えている。装着部４０は、マスク本体１１を装着者の顔に装着するためのバンド部４１と、バンド部４１の基部４１ａが接続された一対の基材部４２とを備えている。そして、連結部５０が、アウター部２０の側部２３を基材部４２のおもて面４２ａに脱着可能に連結する第１連結部５１と、インナー部３０の側部３３を基材部４２の裏面４２ｂに脱着可能に連結する第２連結部５２とを備えている。
【選択図】図１【図１】
0006984915.tif 000002
【図２】
0006984915.tif 000003
【図３】
0006984915.tif 000004
【図４】
0006984915.tif 000005
【図５】
0006984915.tif 000006
【図６】
0006984915.tif 000007
【図７】
0006984915.tif 000008